(57)【要約】【課題】本技術の目的は、マイクロフォンによる集音を妨げないウインドスクリーン及びマイクロフォンを提供すること【解決手段】本技術の一形態に係るウインドスクリーンは、支持部と、ウインドスクリーン部とを具備する。支持部は、マイクロフォン本体が挿入され、マイクロフォン本体を囲むケージ状のフレームを有する。ウインドスクリーン部は、フレームの外周を覆う。  ケージ状のフレームによって支持されているウインドスクリーン部とマイクロフォン本体との間には空間が形成され、ウインドスクリーン部を通過した音波が減衰されることなくマイクロフォンに到達することが可能となる。また、ウインドスクリーン部がフレームによって支持されているため、ウインドスクリーン部の劣化による影響が小さくすることができる。さらにフレームは樹脂成型によって作成することが可能であり、生産性に優れる。【選択図】図２
2012175379.tif 000002
【特許請求の範囲】
【請求項１】
マイクロフォン本体が挿入され、前記マイクロフォン本体を囲むケージ状のフレームを有する支持部と、
前記フレームの外周を覆うウインドスクリーン部と
を具備するウインドスクリーン。
【請求項２】
請求項１に記載のウインドスクリーンであって、
前記フレームは、前記マイクロフォン本体の集音口以外の位置に係合するマイクロフォン係合部を有する
ウインドスクリーン。
【請求項３】
請求項２に記載のウインドスクリーンであって、
前記マイクロフォン係合部は、前記フレームから突出して形成され、前記マイクロフォン本体に弾性的に当接する
ウインドスクリーン。
【請求項４】
背請求項３に記載のウインドスクリーンであって、
前記支持部は、前記フレームに接続され前記マイクロフォン本体が挿通される、弾性材料からなる固定リングをさらに有する
ウインドスクリーン。
【請求項５】
マイクロフォン本体と、
前記マイクロフォン本体が挿入され、前記マイクロフォン本体を囲むケージ状のフレームを有する支持部と、
前記フレームの外周を覆うウインドスクリーン部と
を具備するマイクロフォン。
【発明の詳細な説明】
【技術分野】
【０００１】
本技術は、風切音の発生を防止するマイクロフォン用ウインドスクリーン及びそのウインドスクリーンを備えるマイクロフォンに関する。
【背景技術】
【０００２】
マイクロフォン、特に屋外で使用されるマイクロフォンには、ウインドスクリーンが装着されることが多い。ウインドスクリーンは、有毛素材（フェイクファー等）や多孔性素材（スポンジ等）からなり、マイクロフォンに被せられて用いられる。マイクロフォンがウインドスクリーンによって被覆されることにより風切音の発生が防止され、明瞭な集音が可能となる。例えば特許文献１には、マイクロフォンが差し込まれる挿通孔が形成された、弾性体（発泡ウレタン等）からなるウインドスクリーンが開示されている。
【先行技術文献】
【特許文献】
【０００３】
【特許文献１】特開２００８−１８７３１２号公報（００１９段落、図１）
【発明の概要】
【発明が解決しようとする課題】
【０００４】
しかしながら、特許文献１に記載のようなウインドスクリーンは、マイクロフォンが所定の厚さを有する弾性体によって被覆されることとなるため、風切音のみならず集音目的の音声までも吸音されてしまうおそれがある。また、弾性体が風雨、紫外線等による経年劣化を起こし、風切音抑制効果が次第に減少するおそれがある。さらに、劣化により発生した弾性体の小片がウインドスクリーン内部で転がり、雑音の元となるおそれもある。
【０００５】
以上のような事情に鑑み、本技術の目的は、マイクロフォンによる集音を妨げないウインドスクリーン及びマイクロフォンを提供することにある。
【課題を解決するための手段】
【０００６】
本技術の一形態に係るウインドスクリーンは、支持部と、ウインドスクリーン部とを具備する。
上記支持部は、マイクロフォン本体が挿入され、上記マイクロフォン本体を囲むケージ状のフレームを有する。
上記ウインドスクリーン部は、上記フレームの外周を覆う。
【０００７】
この構成によれば、ケージ状のフレームによって支持されているウインドスクリーン部とマイクロフォン本体との間には空間が形成され、ウインドスクリーン部を通過した音波が減衰されることなくマイクロフォンに到達することが可能となる。また、ウインドスクリーン部がフレームによって支持されているため、ウインドスクリーン部の劣化による影響が小さくすることができる。さらにフレームは樹脂成型によって作成することが可能であり、生産性に優れる。
【０００８】
上記フレームは、上記マイクロフォン本体の集音口以外の位置に係合するマイクロフォン係合部を有してもよい。
【０００９】
この構成によれば、マイクロフォン係合部がマイクロフォン本体に係合することにより、フレームのマイクロフォン本体に対する位置が規定される。ここで、マイクロフォン係合部がマイクロフォン本体の集音口以外の位置に係合することにより、マイクロフォン係合部によって集音口が塞がれ、集音が妨げられることを防止することが可能である。
【００１０】
上記マイクロフォン係合部は、上記フレームから突出して形成され、上記マイクロフォン本体に弾性的に当接してもよい。
【００１１】
この構成によれば、マイクロフォン本体が振動を受けた場合であっても、マイクロフォン係合部が振動を吸収し、フレームがマイクロフォン本体に接触して雑音が発生することを防止することができる。
【００１２】
上記支持部は、上記フレームに接続され上記マイクロフォン本体が挿通される、弾性材料からなる固定リングをさらに有してもよい。
【００１３】
この構成によれば、支持部は固定リングによる摩擦力によりマイクロフォン本体に対して固定され、支持部がマイクロフォン本体から容易に脱落することが防止される。
【００１４】
本技術の一形態に係るマイクロフォンは、マイクロフォン本体と、支持部と、ウインドスクリーン部とを具備する。
上記支持部は、上記マイクロフォン本体が挿入され、上記マイクロフォン本体を囲むケージ状のフレームを有する。
上記ウインドスクリーン部は、上記フレームの外周を覆う。
【発明の効果】
【００１５】
以上のように、本技術によれば、本技術の目的は、マイクロフォンによる集音を妨げないウインドスクリーン及びマイクロフォンを提供することが可能である。
【図面の簡単な説明】
【００１６】
【図１】本技術の実施形態に係るマイクロフォンの外観を示す斜視図である。
【図２】同マイクロフォンの部分的断面斜視図である。
【図３】同マイクロフォンの分解斜視図である。
【図４】同マイクロフォンの支持部の側面図である。
【図５】同マイクロフォンの支持部の分解斜視図である。
【図６】同マイクロフォンの支持部のマイクロフォン係合部の側面図である。
【図７】同マイクロフォンの支持部のマイクロフォン係合部の正面図である。
【図８】同マイクロフォンの、マイクロフォン本体が挿入された支持部の側面図である。
【図９】同マイクロフォンの、マイクロフォン本体が挿入された状態のマイクロフォン係合部の側面図である。
【図１０】同マイクロフォンの、マイクロフォン本体が挿入された状態のマイクロフォン係合部の正面図である。
【発明を実施するための形態】
【００１７】
以下、本技術に係る実施形態を、図面を参照しながら説明する。
【００１８】
［マイクロフォンの構成］
図１は本実施形態に係るマイクロフォン１の外観を示す斜視図であり、図２はマイクロフォン１の構造を示す部分的断面図である。図３はマイクロフォン１の分解斜視図である。これらの図に示すように、マイクロフォン１は、マイクロフォン本体２、支持部３及びウインドスクリーン部４を具備する。マイクロフォン１は、マイクロフォン本体２が支持部３に挿入され、ウインドスクリーン部４が支持部３によって支持される構成となっている。
【００１９】
マイクロフォン本体２は、一般的な構成を有するマイクロフォンとすることができる。マイクロフォン本体２の種類は限定されず、ガンマイクやラベリアマイク（ピンマイク）等とすることができる。本実施形態ではマイクロフォン本体２はガンマイクであるものとして説明する。
【００２０】
図３に示すようにマイクロフォン本体２は、マイクロフォン筐体２１、先端集音口２２及び側面集音口２３を有する。先端集音口２２及び側面集音口２３はマイクロフォン筐体２１に設けられている。
【００２１】
マイクロフォン筐体２１は、断面形状が一様な柱状形状、例えば円柱形状を有するものとすることができる。マイクロフォン筐体２１には、先端集音口２２及び側面集音口２３において生成された音声の電気信号を処理するための信号処理回路、外部接続機器に電気信号を出力するための出力端子等が収容されている。
【００２２】
先端集音口２２は、マイクロフォン筐体２１の先端に設けられた集音口であり、マイクロフォン筐体２１に形成された開口が覆蓋（金属メッシュ等）によって被覆されたものである。覆蓋の裏側には図示しない振動板が収容されている。
【００２３】
側面集音口２３は、マイクロフォン筐体２１の側面に設けられた集音口であり、マイクロフォン筐体２１に形成された開口が覆蓋（金属メッシュ等）によって被覆されたものである。覆蓋の裏側には図示しない振動板が収容されている。なお、図３には、ひとつの側面集音口２３が示されているが、マイクロフォン筐体２１の反対側にも側面集音口２３が設けられている。
【００２４】
本実施形態に係るマイクロフォン本体２は、先端集音口２２及び側面集音口２３のように複数の集音口が設けられており、各集音口からの信号強度差に基づいて指向性を有するガンマイクとして構成されている。しかし、本開示の技術が適用可能なマイクロフォン本体２はガンマイクに限られず、集音口の数や配置はここに示すものと異なっていてもよい。例えば、先端集音口２２のみが設けられたマイクロフォンをマイクロフォン本体とすることも可能である。
【００２５】
支持部３は、ウインドスクリーン部４を支持するための部材であり、マイクロフォン本体２を挿入することが可能に構成されている。図４は支持部３の側面図であり、図５は支持部３の分解斜視図である。図４及び図５に示すように、支持部３は、フレーム３１及び固定リング３２を有する。
【００２６】
フレーム３１は、マイクロフォン本体２の形状に応じてマイクロフォン本体２の周囲を囲むことが可能なケージ状（籠状）に形成される。フレーム３１は、マイクロフォン本体２のうち、少なくとも集音口（先端集音口２２及び側面集音口２３）が形成された部分の周囲を囲むことが可能な形状とすることができる。
【００２７】
フレーム３１は、各種材料、例えばプラスチックや金属等によって形成されるものとすることができるが、量産性やコストの点からプラスチックが好適であり、特に高温高湿度環境に耐久性を有するものが好適である。
【００２８】
フレーム３１は具体的には、先端環状部３１ａ、後端環状部３１ｂ、支柱３１ｃ、梁３１ｄ及びマイクロフォン係合部３１ｅを有するものとすることができる。先端環状部３１ａ及び後端環状部３１ｂを複数本の支柱３１ｃが連結し、また、各支柱３１ｃには梁３１ｄが掛け渡されている。マイクロフォン係合部３１ｅは、先端環状部３１ａに最も近接する梁３１ｄに接続されている。
【００２９】
先端環状部３１ａは、マイクロフォン本体２の挿入方向に対して垂直な面に平行な環状の部分であり、マイクロフォン本体２の先端部が当接する部分である。先端環状部３１ａはマイクロフォン本体２の先端部の外径よりわずかに小さい内径を有し、挿入されたマイクロフォン本体２のそれ以上の挿入を規制する。
【００３０】
後端環状部３１ｂは、マイクロフォン本体２の挿入方向に対して垂直な面に平行な環状であり、固定リング３２が嵌挿される部分である。後端環状部３１ｂは、マイクロフォン本体２の外径より大きい内径を有する。後端環状部３１ｂはマイクロフォン本体２に当接しないが、後端環状部３１ｂに嵌挿される固定リング３２がマイクロフォン本体２に当接することによってフレーム３１を支持する。
【００３１】
支柱３１ｃは、マイクロフォン本体２の挿入方向に沿った直線状の部分である。支柱３１ｃは複数本が形成され、マイクロフォン本体２の周囲に所定の間隔をもって配置される。梁３１ｄは、先端環状部３１ａ及び後端環状部３１ｂに平行な環状の部分である。梁３１ｄは複数本が形成され、マイクロフォン本体２の周囲に所定の間隔をもって配置される。
【００３２】
マイクロフォン係合部３１ｅは、マイクロフォン本体２に係合し、フレーム３１のマイクロフォン本体２に対する位置を規定する部材である。図６及び図７は、マイクロフォン係合部３１ｅを示す平面図である。図６はフレーム３１の側面方向からみたマイクロフォン係合部３１ｅを示し、図７はフレーム３１の先端方向からみたマイクロフォン係合部３１ｅを示す。なお、図７において先端環状部３１ａは透視されている。
【００３３】
これらの図に示すように、マイクロフォン係合部３１ｅは、先端環状部３１ａに最も近接する梁３１ｄ上に形成され、当該梁３１ｄの円周方向に等間隔に複数本、本実施形態では４本が形成されている。各マイクロフォン係合部３１ｅは、梁３１ｄから先端環状部３１ａの方向、かつフレーム３１の中心方向に向かって形成されており、即ちフレーム３１に対して先端方向が集束するように形成されている。
【００３４】
ここで、マイクロフォン係合部３１ｅは、各マイクロフォン係合部３１ｅの先端によって形成される円の直径が、マイクロフォン本体２の外径より小さくなるように形成されている。詳細は後述するが、このような構成により、マイクロフォン本体２がフレーム３１に挿入された際に、各マイクロフォン係合部３１ｅはマイクロフォン本体２によって押し広げられ、弾性的にマイクロフォン本体２に当接する。
【００３５】
なお、マイクロフォン係合部３１ｅは、マイクロフォン本体２の先端集音口２２及び側面集音口２３を除く位置に当接するように形成されている。これにより、マイクロフォン係合部３１ｅによって先端集音口２２あるいは側面集音口２３が塞がれ、集音が妨げられることが防止される。
【００３６】
フレーム３１は以上のように構成される。フレーム３１の製造方法は特に限定されない。例えば、フレーム３１が支柱３１ｃに平行な方向に沿って２分割された形状の部材を作成し、これらの部材を嵌め込み等の手段によって結合することによって作成することが可能である。
【００３７】
フレーム３１の構成はここに示すものに限られず、適宜変更することが可能である。例えば、フレーム３１は例えば多数の孔が形成された筒状の構造とすることも可能である。
【００３８】
固定リング３２は、フレーム３１の後端環状部３１ｂに嵌挿され、フレーム３１のマイクロフォン本体２に対する位置を維持する部材である。図５に示すように、固定リング３２は、環状に形成され、後端環状部３１ｂに嵌挿することが可能に構成されている。固定リング３２は、後端環状部３１ｂにネジ留め等の手段によって固定されるものとすることができる。また、固定リング３２は、ゴム等の弾性部材からなるものとすることができる。
【００３９】
固定リング３２の内径は、マイクロフォン本体２の外径と同一、又はわずかに小さいものとすることができる。これにより、詳細は後述するが、支持部３にマイクロフォン本体２が挿入される際に、固定リング３２がマイクロフォン本体２に当接し、マイクロフォン本体２との間で摩擦力が発生する。即ち、固定リング３２は、支持部３をマイクロフォン本体２に対して固定し、支持部３がマイクロフォン本体２から容易に脱落することを防止することができる。
【００４０】
ウインドスクリーン部４は、風切音の発生を防止するための部材である。図２及び図４に示すようにウインドスクリーン部４は支持部３に被せられ、フレーム３１の外周を覆うことが可能に構成されている。
【００４１】
ウインドスクリーン部４は、有毛素材（フェイクファー等）や多孔性素材（スポンジ等）のような、風切音の発生を抑制する材料からなるものとすることができる。また、ウインドスクリーン部４は、集音の状況（風速等）に応じて、材質、毛足、密度等が異なる複数種のものから選択することができる。ウインドスクリーン部４は、支持部３に被せられるによりその形状を維持することが可能であるため、単独ではウインドスクリーンとしての形状を維持できないものであってもよい。
【００４２】
マイクロフォン１は以上のように構成されている。支持部３とウインドスクリーン部４によって「ウインドスクリーン」が構成され、ウインドスクリーンとマイクロフォン本体２によって「マイクロフォン」が構成される。マイクロフォン１の構成は上述したものに限られず、適宜変更することが可能である。
【００４３】
［マイクロフォンの使用方法］
マイクロフォン１の使用方法について説明する。
【００４４】
上述のようにマイクロフォン１は、マイクロフォン本体２が支持部３に挿入され、支持部３がウインドスクリーン部４によって被覆される。ここで、支持部３を先にマイクロフォン本体２に取り付けた後、ウインドスクリーン部４を取り付けてもよく、ウインドスクリーン部４が予め取り付けられた支持部３をマイクロフォン本体２に取り付けてもよい。
【００４５】
マイクロフォン本体２の支持部３への挿入について説明する。図８は、支持部３に挿入されたマイクロフォン本体２を示す平面図である。
【００４６】
ユーザはマイクロフォン本体２を、支持部３の固定リング３２の環内から支持部３に挿入する。この際、マイクロフォン本体２は、その側面が固定リング３２の内径と当接しながら挿入される。
【００４７】
マイクロフォン本体２は、マイクロフォン係合部３１ｅに当接しつつ、マイクロフォン本体２の先端が支持部３の先端環状部３１ａに当接するまで挿入される。即ち、マイクロフォン本体２は先端環状部３１ａによってそれ以上の挿入が規制される。
【００４８】
ここで、支持部３は、マイクロフォン係合部３１ｅがマイクロフォン本体２へ当接することによってマイクロフォン本体２に対する位置が規制される。図９及び図１０はマイクロフォン本体２に当接するマイクロフォン係合部３１ｅを示す図である。図９は支持部３の側面方向からみたマイクロフォン係合部３１ｅを示し、図１０は支持部３の先端方向からみたマイクロフォン係合部３１ｅを示す。なお、図１０において先端環状部３１ａは透視されている。
【００４９】
上述のようにマイクロフォン係合部３１ｅの先端で構成される円の直径はマイクロフォン本体２の外径より小さいので、図９及び図１０に示すように各マイクロフォン係合部３１ｅはマイクロフォン本体２の外径に合わせて弾性変形する。即ち、マイクロフォン本体２はマイクロフォン係合部３１ｅによって周囲から押圧され、支持部３のマイクロフォン本体２に対する位置が規制される。
【００５０】
マイクロフォン係合部３１ｅがマイクロフォン本体２に弾性的に当接することにより、マイクロフォン本体２が振動を受けた場合であっても、マイクロフォン係合部３１ｅが振動を吸収する。これにより、フレーム３１がマイクロフォン本体２に接触して雑音が発生することを防止することができる。
【００５１】
このようにしてマイクロフォン本体２は支持部３に挿入される。支持部３は、後端に設けられた固定リング３２と、先端に設けられたマイクロフォン係合部３１ｅがマイクロフォン本体２に当接することによって支持され、支持部３の他の部分はマイクロフォン本体２に当接していない。
【００５２】
この後、又はマイクロフォン本体２が支持部３に挿入される前に、支持部３にウインドスクリーン部４が被せられる。ウインドスクリーン部４はフレーム３１に被せられているだけであるので、集音の状況に応じて容易に交換することが可能である。
【００５３】
以上のようにしてマイクロフォン１が準備され、集音に用いられる。マイクロフォン１では、ケージ状のフレーム３１によって支持されているウインドスクリーン部４とマイクロフォン本体２との間は空間が形成され、ウインドスクリーン部４を通過した音波が減衰されることなくマイクロフォン本体２に到達させることが可能となる。また、ウインドスクリーン部４がフレーム３１によって支持されているため、ウインドスクリーン部４の劣化による影響が小さくすることができる。さらにフレーム３１は樹脂成型によって作成することが可能であり、生産性に優れる。
【００５４】
本発明はこの実施形態にのみ限定されるものではなく、本発明の要旨を逸脱しない範囲内において変更することが可能である。
【００５５】
なお、本技術は以下のような構成も取ることができる。
（１）マイクロフォン本体が挿入され、上記マイクロフォン本体を囲むケージ状のフレームを有する支持部と、
上記フレームの外周を覆うウインドスクリーン部と
を具備するウインドスクリーン。
（２）上記（１）に記載のウインドスクリーンであって、
上記フレームは、上記マイクロフォン本体の集音口以外の位置に係合するマイクロフォン係合部を有する
ウインドスクリーン。
（３）上記（１）又は（２）に記載のウインドスクリーンであって、
上記マイクロフォン係合部は、上記フレームから突出して形成され、上記マイクロフォン本体に弾性的に当接する
ウインドスクリーン。
（４）上記（１）から（３）のうちいずれか一つに記載のウインドスクリーンであって、
上記支持部は、上記フレームに接続され上記マイクロフォン本体が挿通される、弾性材料からなる固定リングをさらに有する
ウインドスクリーン。
【符号の説明】
【００５６】
１…マイクロフォン
２…マイクロフォン本体
３…支持部
４…ウインドスクリーン部
３１…フレーム
３１ｅ…マイクロフォン係合部
３２…固定リング
【図１】
2012175379.tif 000003
【図２】
2012175379.tif 000004
【図３】
2012175379.tif 000005
【図４】
2012175379.tif 000006
【図５】
2012175379.tif 000007
【図６】
2012175379.tif 000008
【図７】
2012175379.tif 000009
【図８】
2012175379.tif 000010
【図９】
2012175379.tif 000011
【図１０】
2012175379.tif 000012